【事件の表示】
　特許第３０１７１４６号「オゾン発生器」の請求項１ないし５に係る特許に対する特許異議の申立てについて、次のとおり決定する。
【結　論】
　訂正を認める。
　特許第３０１７１４６号の訂正後の請求項１に係る特許を取り消す。
【理　由】
１．本件手続の経緯
　本件特許第３０１７１４６号は、平成３年３月１３日に出願された実用新案登録出願（実願平３−２１７５７号）の一部が平成９年１０月２日に新たな実用新案登録出願（実願平９−９２６５号）として分割出願され、これが平成９年１０月１５日に特許出願（特願平９−２９７７４９号）に変更され、平成１１年１２月２４日にその設定の登録がされたものである。
　これに対し、吉岡英樹から特許異議の申立がなされ、取消理由通知がなされ、その指定期間内の平成１３年１月２３日付けで訂正請求がなされたが、その後、平成１３年６月２７日付けで再度取消理由通知がなされ、その指定期間内の平成１３年８月３０日付けで再度訂正請求がなされたものである。
２．訂正の適否
２−１．訂正事項
　本件特許については、平成１３年１月２３日付け訂正請求と平成１３年８月３０日付け訂正請求がなされているが、一つの特許については一通りの訂正請求しかできないから、最後に提出された平成１３年８月３０日付け訂正請求について審理するのが相当であると云えるところ、平成１３年８月３０日付け訂正請求は、特許請求の範囲の減縮、明りょうでない記載の釈明及び誤記の訂正を目的として、訂正請求書に添附した全文訂正明細書のとおり、すなわち次の訂正事項（１）及び訂正事項（２）のとおり訂正するものである。
（１）特許請求の範囲の請求項１乃至５を次のとおり訂正する。
「【請求項１】開口部を有する正の筒状電極とその開口部の外側に隣接した略中心軸上に先端が設けられた負の針状電極とから形成される、マイナスイオン、又は、マイナスイオン及びオゾンを発生し、送風するオゾン発生器において、上記開口部の軸線に対し直交する方向に着脱自在に取り付けられることを特徴とする筒状電極のみのカートリッジ。」
（２）本件特許明細書の段落【００１８】の「者静である。」を、誤記の訂正を目的として「斜視図である。」と訂正する。
２−２．訂正の目的の適否、新規事項の有無および拡張・変更の存否
　上記訂正事項（１）は、請求項１及び２の「放電電極」に係る発明を削除し、請求項３乃至５の内容を減縮して請求項１とすると共に、その記載中の「着脱自在に取り付けられた」を「着脱自在に取り付けられる」と訂正するものであるから、特許請求の範囲の減縮及び明りょうでない記載の釈明に該当する。
　また、上記訂正事項（２）は、誤植の訂正であるから、誤記の訂正に該当する。
　そして、上記訂正事項は、いずれも特許明細書に記載した事項の範囲内でなされたものであるから新規事項の追加に該当せず、また当該訂正によって実質上特許請求の範囲を拡張し又は変更するものでもない。
２−３．まとめ
　したがって、上記訂正は、平成６年改正法附則第６条第１項の規定によりなお従前の例によるとされる、特許法第１２０条の４第３項において準用する平成６年改正法による改正前の特許法第１２６条第１項ただし書、第２項の規定に適合するので、当該訂正を認める。
３．本件訂正発明
　上記訂正は、これを認容することができるから、訂正後の本件発明（以下、「本件訂正発明」という）は、訂正された特許請求の範囲の請求項１に記載された事項により特定される上記「２−１．訂正事項（１）」に示すとおりのものである。
４．特許異議申立てについて
４−１．取消理由の概要
　当審が平成１３年６月２７日付けで通知した取消理由の概要は、本件訂正後の発明は、次の引用例１乃至５に記載の発明に基づいて当業者が容易に発明をすることができたものであるから、本件訂正発明についての特許は、特許法第２９条第２項に違反してなされたものであり取り消されるべきである、というものである。
引用例１：実願昭６１−１９６８５７号（実開昭６３−１０３７２９号）のマイクロフィルム
引用例２：実願昭４７−１３５３０号（実開昭４８−８９６８６号）のマイクロフィルム
引用例３：実願昭５８−１０８１３９号（実開昭６０−１７２６０号）のマイクロフィルム
引用例４：特開昭６２−５７６６２号公報
引用例５：実願平１−１１６３３号（実開平２−１０２４２９号）のマイクロフィルム
４−２．引用刊行物の記載内容
（１）引用例１：実願昭６１−１９６８５７号（実開昭６３−１０３７２９号）のマイクロフィルム
（ａ）「（１）コロナ発生電極と対向電極を対向して設け、前記コロナ発生電極のコロナ発生部を、前記対向電極に対して一方向に片寄って配設し、両電極間に高電圧を印加し、コロナ放電を発生させると共に、前記両電極間に発生したイオン風をケース外に流出するように構成したことを特徴とする脱臭器。
（２）コロナ発生電極の電位をマイナスになるように構成したことを特徴とする実用新案登録請求の範囲第（１）項記載の脱臭器。」（第１頁実用新案登録請求の範囲）
（ｂ）「コロナ発生電極と対向電極間に高電圧を印加することによりコロナが発生し、同時にオゾンが発生する。このオゾンを臭気中に放出すると臭気はオゾンによって脱臭される。
　また、コロナ発生によってコロナ発生電極から対向電極に向ってイオンが流れ、イオン風が発生する。このイオン風によって発生したオゾンを臭気中に放出、拡散させることによって、モータ、ファン等の送風手段も必要としない。」（第３頁末行乃至第４頁第８行）
（ｃ）「本考案の一実施例を第１図に基づいて説明する。第１図は本考案の脱臭器の概略断面図である。同図において、１はコロナ発生電極、２は対向電極、３は高電圧電源、４はケース、５は吸気口であり、６は排気口である。
　コロナ発生電極１のコロナ発生部は、対向電極２に対し一方向に片寄って配置されている。このため、コロナ発生電極１と対向電極２の間に高電圧電源３によって高電圧が印加されると、コロナ発生電極１の先端エッジよりコロナが発生し、イオン電流がコロナ発生電極１から対向電極２へ向って流れる。コロナ発生部と対向電極２の位置が一方向に片寄っているため、イオンの流れが一方向に強くなり、イオン風が発生する。このイオン風を排気口６よりケース４の外に流出させることにより、吸排気を行なう。」（第４頁１０行乃至第５頁５行）
（ｄ）「本実施例においては、対向電極として円筒形について説明したが、平行平板、網状電極でも同様の結果を得ることができる。」（第５頁１０行乃至１２行）
（ｅ）「さらに、イオン発生をマイナスイオンの発生するようにコロナ発生電極の電位をマイナスにすることにより、ケース４の外に健康的なマイナスイオンを放出することができる。」（第５頁１７行乃至２０行）
（ｆ）第１図には、コロナ発生電極を−に対向電極を＋に接続した脱臭器の概要が図示されている。
（２）引用例２：実願昭４７−１３５３０号（実開昭４８−８９６８６号）のマイクロフィルム
（ａ）「（１）は針状放電極（２）と距離（Ｓ）を存して円筒状接地電極（３）を対向せしめてなるイオン風発生器で、前記円筒状接地電極（３）は流入口側の内径（Ｄ）を流出口側の内径（ｄ）よりも大きくして内面を先細とし、テーパー状の風洞（４）を形成している。」（第２頁第３行乃至第８行）
（ｂ）第１図及び第２図には、針状電極（２）と円筒状接地電極（３）とが距離Ｓだけ隣接したイオン風発生器が図示されており、第４図には、距離Ｓと風速の関係が図示されている。
（３）引用例３：実願昭５８−１０８１３９号（実開昭６０−１７２６０号）のマイクロフィルム
（ａ）「空気中の塵埃粒子及び分子をコロナ放電により帯電させる放電電極部と帯電塵埃粒子を吸着・捕捉させる集塵電極部とから成る電気式空気清浄器において、前記放電電極部を清浄器本体と一体構造とし、かつ本体内へ収納・組付けられる集塵電極部を上下及び左右方向に対称な構造としたことを特徴とする電気式空気清浄器。」（実用新案登録請求の範囲参照）
（ｂ）「一定時間使用すると集塵電極板１６１の空気吸入側に塵埃粒子は多量に吸着・捕捉され、次第に清浄器の能力は低下してくる。この時、清浄器の使用者が第６図に示すように本体部１１よりリアグリル１２を取り外し清浄器本体部１１から集塵電極ユニット１６を抜き出し、上下方向あるいは左右方向に１８０°回転させ、再び清浄器本体１０内へ収納することにより、清浄器は再び能率良く動作することとなる。」（第５頁第１９行乃至第６頁第７行）
（ｃ）第６図には、集塵電極ユニットを取り外した状態の清浄器が図示されている。
（４）引用例４：特開昭６２−５７６６２号公報
（ａ）「イオン化ユニットと集塵ユニットとを備えてなるイオン風式空気清浄器において、少なくともマンガンおよび銅を含んでなり、オゾン分解能を有する触媒を担持したフィルターを前記集塵ユニット下流側に配設したことを特徴とする空気清浄器。」（特許請求の範囲参照）
（ｂ）「ケーシング６内にはイオン化ユニット１、集塵ユニット２・・・ユニット１、２に高電圧を印可するための電源ユニット５が収容される。」（第２頁右上欄第１７行乃至左下欄第２行）
（ｃ）第１図には、イオン化ユニット１と集塵ユニット２のそれぞれに取っ手が図示され、これらユニット１及び２が空気の流れに直交する方向に取り出せるような構造の空気清浄器が図示されている。
（５）引用例５：実願平１−１１６３３号（実開平２−１０２４２９号）のマイクロフィルム
（ａ）「一対の電極及び誘電体並に反応室を備えた反応器と電源及び制御回路を備えた本体を分離、独立させ、反応器と本体の対向面に互に嵌合可能な接続子を設けたことを特徴とするオゾン発生装置。」（実用新案登録請求の範囲参照）
（ｂ）「本考案はオゾン発生部である反応器と高電圧発生部である本体を着脱し得るようにしたオゾン発生装置に関するものである。」（第１頁）
（ｃ）「本考案は上述の実状に鑑み、装置全体を交換するものではなく、反応器ｂのみを交換し得るようにすることを目的としてなしたものである。」（第３頁）
４−３．当審の判断
　引用例１の上記（ａ）には、「コロナ発生電極と対向電極を対向して設け、前記コロナ発生電極のコロナ発生部を、前記対向電極に対して一方向に片寄って配設し、両電極間に高電圧を印加し、コロナ放電を発生させると共に、前記両電極間に発生したイオン風をケース外に流出するように構成したことを特徴とする脱臭器。」が記載されている。そして、この「脱臭器」において、コロナ発生電極は、第１図から明らかな如く、針状電極であり、上記（ｄ）の記載によれば、対向電極は「筒状電極」である。また、針状のコロナ発生電極は、対向電極の開口部の外側に一方向に片寄って配設され、第１図からその先端が筒状の対向電極の略中心軸上に設けられていると云える。さらに、この「脱臭器」は、上記（ｂ）の記載からマイナスイオン及びオゾンを発生するものであり、上記（ｅ）や第１図からコロナ発生電極をマイナスに対向電極を＋に接続した脱臭器であることも明らかであるから、引用例１には、本件訂正発明の記載ぶりに則って整理すると、「開口部を有する正の筒状電極とその開口部の外側に一方向に片寄って配設され略中心軸上に先端が設けられた負の針状電極とから形成される、マイナスイオン、又は、マイナスイオン及びオゾンを発生し、送風する脱臭器」の発明（以下、「引用例１発明」という）が記載されていると云える。
　そこで、本件訂正発明と引用例１発明とを対比すると、引用例１発明の「脱臭器」も「オゾン発生器」と云えるから、両者は、「開口部を有する正の筒状電極とその開口部の外側に配設され略中心軸上に先端が設けられた負の針状電極とから形成される、マイナスイオン、又は、マイナスイオン及びオゾンを発生し、送風するオゾン発生器」という点で一致し、次の（イ）及び（ロ）の点で相違していると云える。
（イ）本件訂正発明では、針状電極が筒状電極の開口部の外側に隣接して設けられているのに対し、引用例１発明では、筒状電極の開口部の外側に一方向に片寄って配設されている点
（ロ）本件訂正発明では、筒状電極の開口部の軸線に対し直交する方向に着脱自在に取り付けられる筒状電極のみのカートリッジを具備しているのに対し、引用例１発明では、このようなカートリッジを具備していない点
　次に、これら相違点について検討する。
（４−３−１）相違点（イ）について
　先ず、本件訂正発明の上記相違点（イ）の針状電極が筒状電極の開口部の外側に「隣接して」設けられている点の技術的な意味について検討すると、本件特許明細書の段落【００２３】の「本発明のように対向電極の開口部と針状の電極の先端を組み合わせ、その間における放電により、マイナスイオン風をより有効に発生させ、マイナスイオン及びオゾンを含む風を電動ファン等を使用しなくとも有効に流出・拡散することができる。イオン及びオゾンの発生或いはその風速は、放電電極間の間隔により調整可能である。」という記載によれば、「隣接して」設ける技術的な意味は、マイナスイオン及びオゾンを含む風の発生とその風速の確保にあると云える。
　一方、引用例１発明の上記相違点（イ）の「一方向に片寄って配設」の技術的な意味について検討すると、引用例１の上記（ｃ）の「コロナ発生電極１のコロナ発生部は、対向電極２に対し一方向に片寄って配置されている。このため、コロナ発生電極１と対向電極２の間に高電圧電源３によって高電圧が印加されると、コロナ発生電極１の先端エッジよりコロナが発生し、イオン電流がコロナ発生電極１から対向電極２へ向って流れる。」及び「コロナ発生部と対向電極２の位置が一方向に片寄っているため、イオンの流れが一方向に強くなり、イオン風が発生する。このイオン風を排気口６よりケース４の外に流出させることにより、吸排気を行なう。」という記載によれば、引用例１発明も、マイナスイオン及びオゾンを含む風の発生とその風速の確保であることは明らかであるから、両者は、針状電極と筒状電極の開口部との配置によってマイナスイオン及びオゾンを含む風の発生とその風速を確保するという観点では実質的な差異はないと云える。
　そうすると、上記相違点（イ）は、両者の針状電極と筒状電極の開口部との配置関係に実質的な相違があるか否かに尽きると云えるから、この観点で本件訂正発明の「隣接して」と引用例１発明の「一方向に片寄って配設」との意味について、以下に検討する。
　先ず、本件訂正発明の「隣接して」の意味については、本件特許明細書でその定義付けがなされていないから、一般的な意味として解釈するならば、「広辞苑」（株式会社岩波書店発行）には、「隣接：となりあってつづくこと」、「隣：横に相接した位置」及び「接する：互いに隔てなくつながる。つづく。つく。ちかづける。ちかよせる。」と記載されている。また、この点に関連して、本件特許明細書には「先端が該筒状電極の一方の開口部の外側に一定の間隔をもって配置されると共に前記筒状電極の略中心に位置付けられる導電性を有する針状電極」（特許公報段落【０００９】第３９行乃至第４１行）や「更に、筒状電極と針状電極の先端との間隔を一定に保つことは、本考案において極めて重要なことであるため、この間隔を保持するため、電極取付部材を用いて常に一定に保っている。」（特許公報段落【００１１】）と記載され、図１や図３には、筒状電極と針状電極の先端とが一定の間隔をもって対向配置された「オゾン発生器」が図示されている。
　そうであるならば、本件訂正発明の「隣接して」とは、その針状電極と筒状電極の開口部との配置の観点からみれば、「隣あってつづいて」設けられている状態、具体的には、本件特許明細書や図面の記載からみて、針状電極と筒状電極の開口部とが「一定の間隔（間隔が零の互いに接している状態を含む）をもって配置されている状態」を意味すると解するのが相当であると云える。
　一方、引用例１発明の「一方向に片寄って配設」について検討すると、引用例１発明でも、コロナ発生電極１（針状電極に相当）と対向電極２（筒状電極に相当）とは、「対向して」（「対向：互いにむきあうこと、「広辞苑」参照）設けられている（引用例１の上記（ａ）参照）から、針状電極と筒状電極の開口部とは、互いに向き合うだけの間隔をもって配置されていると解するのが相当と考えられるが、引用例１の第１図をみる限り針状電極と筒状電極の開口部との間には一定の間隔は図示されておらず、針状電極の先端が筒状電極の開口部の内部に入り込んでいるかの如く図示されている。これらの点を総合すれば、引用例１発明の「一方向に片寄って配設」については、針状電極と筒状電極の開口部との配置関係から、（ｉ）両者が一定の間隔をもって配置、（ｉｉ）両者が接して配置、という態様の他に（ｉｉｉ）針状電極が筒状電極の開口部の内部に入り込んで配置という態様をも含むと解釈する余地があると云わざるを得ないから、上記相違点（イ）を換言するならば、引用例１発明は、本件訂正発明と上記（ｉ）及び（ｉｉ）の点で一致するものの、上記（ｉｉｉ）の配置の態様を含む点で相違していると云うことができる。
　そこで、上記（ｉｉｉ）の点についてさらに検討すると、針状電極と筒状電極とでイオン風を発生させる「イオン風発生器」において、例えば引用例２の第４図にイオン風の風速と針状電極と筒状電極の開口部との距離Ｓとの関係が図示されているとおり、針状電極と筒状電極の開口部との上記（ｉ）乃至（ｉｉｉ）の態様はいずれも周知の事項である。また、本件訂正発明と引用例１発明とは、イオン風の発生や風速の確保という観点では格別の差異はないと云えるから、両者の針状電極の上記配置態様の相違は、針状電極と筒状電極との周知の配置態様の中から設計的にどの配置の態様を選択すればよいかというだけのことであるから、次の（４−３−２）で述べる相違点（ロ）の筒状電極の着脱自在という点を考慮したとしても、上記（ｉｉｉ）の態様を除外して上記（ｉ）及び（ｉｉ）の態様を選択すること、すなわち針状電極を筒状電極の開口部の外側に隣接して配置することは、引用例２の周知事項を参考にすれば当業者が容易に想到することができたと云うべきである。
（４−３−２）相違点（ロ）について
　本件訂正発明の上記相違点（ロ）は、汚れやすく消耗する等交換を必要とする筒状電極を収納する着脱自在な容器５（これを「カートリッジ」と称している）を具備するというものであるが、汚れやすく消耗する部品を交換自在に設けることは、一般の家電製品によく見られる慣用手段であるが、電極を用いる空気清浄器の分野でも例えば引用例３乃至引用例４にみられるとおり周知・慣用手段である。特に、引用例４の第１図には、電極を容器に収納してユニット化（イオン化ユニット１と集塵ユニット２と）し、これらユニットを空気の流れと直交する方向に着脱自在に設けた「空気清浄器」が図示され、そして、これらユニットは、電極を容器に収納したカートリッジに相当するものであり、その着脱方向も「開口部の軸線に対し直交する方向」であることが明らかである。
　してみると、空気の清浄技術の分野においても、消耗電極を着脱自在なカートリッジに収納して設けることや、その着脱方向を開口部の軸線に対し直交する方向とすることも周知事項であると云えるから、上記相違点（ロ）は、これら周知事項を参考にすれば当業者が容易に設計することができたことと云うべきである。
　したがって、本件訂正発明は、引用例１に記載の発明と引用例２乃至引用例５に記載の周知・慣用手段を参考にすれば当業者が容易に発明をすることができたものと云えるから、特許法第２９条第２項の規定により特許を受けることができないものである。
５．むすび
　以上のとおり、本件訂正発明についての特許は、特許法第２９条第２項の規定に違反してなされたものであるから、同法第１１３条第１項第２号に該当し、取り消されるべきものである。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記結論のとおり決定する。
【異議決定日】
平成１４年５月２１日（２００２．５．２１）
【訂正の要旨】
審決（決定）の【理由】欄参照。
（５４）【発明の名称】
オゾン発生器
（５７）【特許請求の範囲】
　【請求項１】　開口部を有する正の筒状電極とその開口部の外側に隣接した略中心軸上に先端が設けられた負の針状電極とから形成される、マイナスイオン、又は、マイナスイオン及びオゾンを発生し、送風するオゾン発生器において、上記開口部の軸線に対し直交する方向に着脱自在に取り付けられ
る
【発明の詳細な説明】
　【０００１】
　【産業上の利用分野】
　本発明は、筒状電極と筒状電極と針状電極との組み合わせからなる放電電極に電圧を印加することにより発生する放電気流風を利用したオゾン発生器に関するものである。
　【０００２】
　【従来の技術】
　従来のオゾン発生器は、主としてセラッミク電極とタングステン線電極との組み合わせによりオゾンを発生させ、電動ファンをしようしてオゾンを流出させるものであった。
　【０００３】
　【発明が解決しようとする課題】
　従来のオゾン発生器においては、オゾンを流出・拡散させるために電動ファンを使用することが不可欠であった。このため、部品点数が多くなると共にモーターが発生するノイズ等の対策を施すことも必要であった。
　【０００４】
　また、セラミック電極の構造が複雑であるため、その金型に掛かる費用等製造コストが高いという課題もあった。
　【０００５】
　さらに、発生するオゾン量の増減を図るには、セラミック電極を大きく又は小さくし、タングステン電極線も長く又は短くすることが必要であったため、組立後にオゾン量の調整をすることはほとんど出来なかった。
　【０００６】
　また、長時間使用しているとホコリが電極に付着し、オゾン発生量が減ってくるため、ホコリを取り除くことが必要であるが、従来のものにおいては使用者がホコリを取り除くための対策が何らとられていないという課題があった。
　【０００７】
　本発明の目的は、電動ファン等の送風装置を使用することなく、かつ廉価で、オゾン発生量の調整やホコリの除去も可能なオゾン発生器を提供することにある。
　【０００８】
　【課題を解決するための手段】
　本発明の課題を解決するための第１の手段は、開口部を有する正の対向電極とその開口部の外側に隣接した略中心軸上に先端が設けられた負の針状電極とによりマイナスイオン、又は、マイナスイオン及びオゾンを発生し送風する放電電極であり、第２の手段は、筒状の正の対向電極の開口部の外側に隣接した略中心軸上に先端が設けられた負の針状電極を有するマイナスイオン、又は、マイナスイオン及びオゾン発生送風用放電電極であり、第３の手段は、針状電極と開口部を有する対向電極とが取り付けられたイオン、又は、イオン及びオゾン発生器において、着脱自在に取り付けられた電極カートリッジであり、第４の手段は、さらに、対向電極である筒状電極のみが設けられた前記カートリッジであり、第５の手段は、さらに、対向電極の開口部の軸線に対し直交する方向に着脱自在である前記カートリッジである。
　【０００９】
　これら以外の解決手段には、導電性を有する筒状電極と、先端が該筒状電極の一方の開口部の外側に一定の間隔をもって配置されると共に前記筒状電極の略中心に位置付けられる導電性を有する針状電極と、前記筒状電極と針状電極間に直流の高電圧を印可する高電圧発生装置と、からなり、前記筒状電極と針状電極に前記高電圧を印可することによりイオン及びオゾンを発生すると共に前記筒状電極の他方の開口部から外方に向かって流出する前記イオン及びオゾンを含む風を発生する、イオン及びオゾン発生器がある。
　【作用】
　本発明のオゾン発生器においては、筒状電極と針状電極とからなる放電電極に高電圧を印加し、これにより筒状電極内が帯電すると、クーロン力とコロナ放電作用により筒状電極内にイオン及びオゾンを含む気流が発生する。このイオン及びオゾン風をそのまま利用して、筒状電極の開口部から流出させてマイナスイオン及びオゾンの発生と拡散を行っている。
　【００１０】
　特に、本考案における針状電極は、その先端が筒状電極の一方の開口部の外側で且つその略中心に位置付けられている。このように針状電極の先端を位置付けることによりイオン、又は、イオン及びオゾンを流出・拡散させるのにより有効な風を発生させることができる。
　【００１１】
　更に、筒状電極と針状電極の先端との間隔を一定に保つことは、本考案において極めて重要なことであるため、この間隔を保持するため、電極取付部材を用いて常に一定に保っている。
　【００１２】
　【実施例】
　図１は、本発明の一実施例に係るオゾン発生器の概略構成を示す部分断面図である。１は腐食しない導電性の合金等からなる筒状電極であり、２は腐食しない導電性金属等からなる針状電極である。この筒状電極１と針状電極２とからなる放電電極は、共にプラスチック等の絶縁性材料からなる略円筒形をなす電極取付部材３に取り付けられている。この電極取付部材３には、筒状電極１を保持する筒状部３ａと、その内部底面あるいは内部背面等から突出する電極支持部３ｃと、が設けられており、この電極支持部３ｃに針状電極２を取り付けることにより、この針状電極２は筒状電極１の一方の開口部１ａの外側に隣接しかつその略中心に位置付けられる。
　【００１３】
　４は直流の高電圧を発生する高圧発生装置であり、本実施例においてはその負電位側のリード線が針状電極２に取り付けられており、正電位側のリード線が筒状電極１に取り付けられている。
　【００１４】
　上記構成からなるオゾン発生器において、筒状電極１と針状電極との間に直流の高電圧を印可すると、クーロンの法則によりコロナ放電が起こる。このときの放電エネルギーにより、イオン及びオゾンを含む風が発生する。この風は筒状電極１の開口部１ｂから外方に向かって流出し、筒状電極１内に発生するイオン及びオゾンを拡散させる。このようにイオン及びオゾンを発生・拡散させることにより、その脱臭・除菌作用を利用して室内あるいは社内のにおい等を取り除く。
　【００１５】
　上記イオン及びオゾンの発生あるいはその風速は、放電電極間の間隔や、筒状電極１の直径、長さ、電圧の高低等により調整可能である。また、図１に示す一組の放電電極を図２に示すように複数設け、各電極への電圧供給をオン・オフするスイッチ１４を設けてこれをオン・オフ操作することにより発生するオゾン量を極めて容易に調整することもできる。
　【００１６】
　図３は、図１に示す電極取付部材３の一部変更例を示す断面図である。図３に示す電極取付部材３は、筒状部３ａと、棒状の連結部３ｂと、その端部に設けられた針状電極２を支持する電極支持部３ｃとから構成されている。筒状部３ａの内周面は図中左側の開口部３ｄ方向に向かって径が小さくなるように形成されており、図中右端部外周に筒状電極１が外嵌されている。
　【００１７】
　この電極取付部材３を使用することにより、オゾン風流出側の開口部分の径を小さくすることが出来る。これにより風速をより速くすることができる。また、組立時に筒状電極１と針状電極２の間隔を常に一定にすることもできる。
　【００１８】
　図４は図１等に示す筒状電極１を着脱可能にしたオゾン発生器を示す
斜視図
　【００１９】
　尚、このオゾン発生器においては、カートリッジ５内に複数の筒状電極１が収められており、またケース６にはこれらに対応する数の針状電極２が取り付けられている。また、ケース６の前面には、吹き出し口６ｂ、電子タイマー用ツマミ８、ヒューズ９、パイロットランプ１０等が設けられている。
　【００２０】
　図５は芳香を発生するオゾン発生器を示す断面図である。このオゾン発生器においては、ケース６内の放電電極の下に香料を入れる容器１１を配置し、この容器１１内から電極取付部材３の筒状部３ａ内に達する浸透紙からなる芯１２を介して容器１１内の香料を筒状部３ａ内に導入している。そして、筒状部３ａ内に導入された香料が発する香りは筒状電極１から流出される風と共に拡散される。
　【００２１】
　尚、香料としてはオゾンで脱臭困難な化学液が好ましい。
　【００２２】
　また、図５に示すように、電極取付部材３の筒状部３ａを通って外方に突出するノズル１３又は、図６に示すように容器１１から上方に延びてケース６の上面に達するノズル１３が設けられ、その先端に容器１１へ香料を補給する際に使用する注入口１３ａが形成されている。
　【００２３】
　本発明のように対向電極の開口部と針状の電極の先端を組み合わせ、その間における放電により、マイナスイオン風をより有効に発生させ、マイナスイオン及びオゾンを含む風を電動ファン等を使用しなくとも有効に流出・拡散することができる。イオン及びオゾンの発生或いはその風速は、放電電極間の間隔により調整可能である。従って、モータによる騒音や電波障害がなく、またモータやセラミック電極等を使用していないのでより廉価なオゾン発生器を提供することができる。特に、小型化が容易であるため、他の機器、例えば照明器具、置物等に組み込むこともできる。
　【００２４】
　また、微細なチリやホコリを電極にて集塵することができ、さらに電極を着脱可能に構成することもできるので、集塵器として使用することもでき、またその清掃もより簡単に行うことができる。
　【００２５】
　さらに、流出する風に香りを付けることにより、オゾンによる脱臭だけでなくオゾン臭や室内の強い臭いをも消すことができる。
【図面の簡単な説明】
　【図１】
　本発明の一実施例に係るオゾン発生器の概略構成を示す部分断面図である。
　【図２】
　図１に示すオゾン発生器の一部変更例を示す斜視図である。
　【図３】
　図１に示す電極取付部材の一部変更例を示す断面図である。
　【図４】
　筒状電極を着脱可能にしたオゾン発生器を示す斜視図である。
　【図５】
　芳香を発生するオゾン発生器を示す断面図である。
　【図６】
　図５に示すオゾン発生器の一部変更例を示す断面図である。
　【符号の説明】
　１　筒状電極
　２　針状電極
　３　電極取付部材
　４　高圧発生器
　５　カートリッジ
　６　ケース
　１１　容器
　１２　芯
　１３　ノズル